(57)【要約】【課題】振動や衝撃の影響を受けることなく、安定した動作を得ることができる電磁接触器の補助接点ユニットを提供する。【解決手段】ユニットケース２ａと該ユニットケース２ａの内部に収納された補助接点支え３と、前記補助接点支え３に一体成形され、前記ユニットケース２ａから突出した連結突起３ａと、前記補助接点支え３の内部に可動接点４ａ，４ｂおよび固定接点５ａ，５ｂを有した電磁接触器の補助接点ユニットにおいて、前記可動接点４ａ，４ｂを所定方向に保持する弾性体を設けた構造とする。【選択図】図１
2012038644.tif 000002
【特許請求の範囲】
【請求項１】
ユニットケースと、該ユニットケースの内部に収納された補助接点支えと、前記補助接点支えに一体成形され、前記ユニットケースから突出した連結突起と、前記補助接点支えの内部に可動接点および固定接点を有した電磁接触器の補助接点ユニットにおいて、前記可動接点を所定方向に保持する弾性体を設けたことを特徴とする電磁接触器の補助接点ユニット。
【請求項２】
請求項１に記載の補助接点ユニットにおいて、弾性体（２ｃ）は補助接点支え（３）の下側とユニットケース（２ａ）との間に設けたことを特徴とする電磁接触器の補助接点ユニット。
【請求項３】
請求項２に記載の補助接点ユニットにおいて、弾性体（２ｃ）はコイルバネとしたことを特徴とする電磁接触器の補助接点ユニット。
【請求項４】
請求項２に記載の補助接点ユニットにおいて、弾性体（２ｃ）は板バネとしたことを特徴とする電磁接触器の補助接点ユニット。
【請求項５】
請求項１に記載の補助接点ユニットにおいて、弾性体（２ｃ）は補助接点支え（３）の上側とユニットケース（２ａ）との間に設けられ、引っ張りバネとしたことを特徴とする電磁接触器の補助接点ユニット。
【発明の詳細な説明】
【技術分野】
【０００１】
本発明は、電磁接触器に着脱自在に取り付けられる補助接点ユニットに関する。
【背景技術】
【０００２】
周知のように、電磁接触器の付属品（オプション品）として補助接点ユニットがある。この補助接点ユニットは、電磁接触器の投入，遮断動作に連動する補助接点の信号を外部の電子制御回路などに出力するもので、その形式として電磁接触器の本体頂部に外付けするヘッドオンタイプ、および電磁接触器の本体側面に外付けして使用するサイドオンタイプがある。
【０００３】
次に、従来における一般的なサイドオンタイプの補助接点ユニットを図５，図６に示す（例えば、特許文献１参照）。図５において、１は電磁接触器、２は補助接点ユニットであり、該補助接点ユニット２はそのユニットケース２ａの背面に設けた係合爪２ｂを電磁接触器１のケース１ａの側壁に係合して取り付け、この取り付け位置で後記のようにユニットケース２ａの背面に突き出した接触子ホルダ１ｃの連結突起３ａを電磁接触器１のケース１ａに開口した係合穴１ｂを通して主接点の接触子ホルダ１ｃに連結している。
【０００４】
この補助接点ユニット２の内部構造は図６に示す通りであって、ユニットケース２ａには、該ケース内部の中央空所に嵌入して上下スライド可能に案内支持した補助接点支え３と、該補助接点支え３に搭載した橋絡形の可動接点４ａ，４ｂ、該可動接点４ａ，４ｂに対応してユニットケース２ａの上段側，および下段側に分けて配置した外部接続端子と一体な固定接点５ａ，５ｂが配置されており、前記補助接点支え３に一体に設けた連結突起３ａがユニットケース２ａの背面側に突き出している。この構成で、上段側の固定接点５ａと可動接点４ａが常閉接点部（ＮＣ）を構成し、下段側の固定接点５ｂと可動接点４ｂが常開接点部（ＮＯ）を構成している。なお、３ｂは可動接点４ａと４ｂの間に介装した接触バネである。
【０００５】
上記構成になる補助接点ユニット２の動作は特許文献１に記載されており、電磁接触器１の遮断状態では、補助接点ユニット２の補助接点支え３が上昇位置に移動して可動接点４ａと固定接点５ａが閉極（ＯＮ）、可動接点４ｂと固定接点５ｂが開極（ＯＦＦ）して上段側の常閉接点部（ＮＣ）を介して外部回路に接点信号を出力する。一方、電磁接触器１の投入動作によりその内部の接触子ホルダ１ｃ（図５参照）が下方に移動すると、これに連動して補助接点ユニット２の補助接点支え３が下方にスライド移動し、いままで閉極していた可動接点４ａと固定接点５ａは開極（ＯＦＦ）し、可動接点４ｂと固定接点５ｂが閉極（ＯＮ）に切り換わり下段側の常開接点部（ＮＯ）から接点信号を出力する。
【先行技術文献】
【特許文献】
【０００６】
【特許文献１】実開平３−６９８４５号公報
【発明の概要】
【発明が解決しようとする課題】
【０００７】
ところで、前記した従来の補助接点ユニットでは、電磁接触器１に補助接点ユニット２を接続し、補助接点ユニット２の補助接点支え３が上昇位置に保持され、電磁接触器１の主接点（図示しない）が開極状態で正常動作していた場合、電磁接触器１に外部からの衝撃や振動があると閉極していた補助接点ユニットの常閉接点（ＮＣ）が開極しやすくなり、誤った信号を制御回路へ出力してしまう問題がある。
【０００８】
本発明は上記の点に鑑みなされたものであり、電磁接触器に接続された補助接点ユニットの補助接点支えを安定保持し、誤動作を防止する電磁接触器の補助接点ユニットを提供することを目的とする。
【課題を解決するための手段】
【０００９】
上記目的を達成するために、本発明によれば、ユニットケースと、該ユニットケースの内部に収納された補助接点支えと、前記補助接点支えに一体成形され、前記ユニットケースから突出した連結突起と、前記補助接点支えの内部に可動接点および固定接点を有した電磁接触器の補助接点ユニットにおいて、前記可動接点を所定方向に保持する弾性体を設けた構造とする（請求項１）。また、上記の補助接点ユニットにおいて、次記のような具体的態様で構成することができる。
（１）前記弾性体は、補助接点支えの下側とユニットケースとの間に設ける（請求項２）。
（２）前記弾性体は、コイルバネとする（請求項３）。
（３）前記弾性体は、板バネとする（請求項４）。
（４）前記弾性体は、補助接点支えの上側とユニットケースとの間に設けられ、引っ張りバネとする（請求項５）。
【発明の効果】
【００１０】
上記の構成によれば、電磁接触器の補助接点ユニットに補償バネを設けることにより、電磁接触器本体に外部からの衝撃や振動があっても、補助接点ユニットの常閉接点（ＮＣ）を閉極状態に保持することができるため、誤った信号を制御回路へ出力することなく安定した動作が可能となる。
【図面の簡単な説明】
【００１１】
【図１】本発明の実施例を示す電磁接触器と補助接点ユニットの断面図
【図２】本発明の実施例を示す補助接点ユニットの内部断面図
【図３】本発明の第２の実施の形態を示す補助接点ユニットの内部断面図
【図４】本発明の第３の実施の形態を示す補助接点ユニットの内部断面図
【図５】従来の電磁接触器と補助接点ユニットを示す斜視図
【図６】従来例を示す補助接点ユニットの内部断面図
【発明を実施するための形態】
【００１２】
以下、本発明の実施の形態を図１から図４に示す実施例に基づいて説明する。なお、図５，図６に対応する部材には同じ符号を付してその説明は省略する。
図１は本発明の電磁接触器と補助接点ユニットを示した断面図、図２は本発明の実施例を示した補助接点ユニットの内部構造の断面図、図３は本発明の第２の実施例を示した補助接点ユニットの内部構造の断面図、図４は本発明の第３の実施例を示した補助接点ユニットの内部構造の断面図である。
【実施例１】
【００１３】
図１に示す実施例において、１は電磁接触器、２は補助接点ユニットであり、該補助接点ユニット２はユニットケース２ａの背面に設けた係合爪２ｂを電磁接触器１のケース１ａ側壁に係合して取り付け、この取り付け位置でユニットケース２ａの背面に突き出した連結突起３ａを電磁接触器１のケース１ａ側壁に開口した係合穴１ｂを通して主接点の接触子ホルダ１ｃに連結される。
【００１４】
次に補助接点ユニット２の内部構造について図１，図２に基づいて説明する。ユニットケース２ａは、ケース内部の中央空所に嵌入して上下スライド可能に案内保持した補助接点支え３と、該補助接点支え３に搭載した橋絡形の可動接点４ａ，４ｂ、該可動接点４ａ，４ｂに対応してユニットケース２ａの上段側および下段側に分けて配置した外部接続端子と一体になった固定接点５ａ，５ｂが配置されており、前記補助接点支え３に一体に設けた連結突起３ａがユニットケース２ａの背面側に突き出している。この構成で、上段側の固定接点５ａと可動接点４ａが常閉接点部（ＮＣ）を構成し、下段側の固定接点５ｂと可動接点４ｂが常開接点部（ＮＯ）を構成している。
【００１５】
そして図１，図２に示すように、ユニットケース２ａの内部に上下スライド可能に案内保持した補助接点支え３の下側とユニットケース２ａとの間に弾性体からなる補償ばね２ｃを設け、補助接点支え３を固定接点５ａと可動接点４ａで構成される常閉接点部（ＮＣ）の方向（図１，図２を正面から見て上段側に移動する方向）に押圧保持させる。ここで補償ばね２ｃはコイルばねを使用する。
【００１６】
この構成にすることによって、電磁接触器１本体に外部からの衝撃や振動が発生しても、電磁接触器１の補助接点ユニット２の常閉接点部（ＮＣ）を閉極状態に押圧保持しているため、制御回路へ誤った信号を出力することがなくなり、安定した動作が可能となる。
【実施例２】
【００１７】
本発明の第２の実施の形態を図３に基づいて説明する。ユニットケース２ａの基本的な内部構造については実施例１と同じであり、ユニットケース２ａの内部に上下スライド可能に案内保持した補助接点支え３の下側とユニットケース２ａとの間に弾性体からなる補償ばね２ｃを設け、補助接点支え３を固定接点５ａと可動接点４ａで構成される常閉接点部（ＮＣ）の方向（図３を正面から見て上段側に移動する方向）へ押圧保持させる。ここで、弾性体からなる補償ばね２ｃを板バネにしても実施例１と同じ効果を得ることができる。
【実施例３】
【００１８】
更に本発明の第３の実施の形態を図４に基づいて説明する。ユニットケース２ａの基本的な内部構造については実施例１，実施例２と同じであるが、ユニットケース２ａの内部に上下スライド可能に案内保持した補助接点支え３の上段側とユニットケース２ａとの間に弾性体からなる補償ばね２ｃを設け、その補償ばね２ｃを引っ張りばねで構成し、固定接点５ａと可動接点４ａで構成される常閉接点部（ＮＣ）の方向へ押圧保持する。
これにより、電磁接触器１本体に外部からの衝撃や振動が発生しても、電磁接触器１の補助接点ユニット２の常閉接点部（ＮＣ）を閉極状態に保持しているため、制御回路へ誤った信号を出力することがなくなり、安定した動作が可能となる。
【符号の説明】
【００１９】
１  電磁接触器
１ａ  ケース
１ｂ  係合穴
１ｃ  接触子ホルダ
２  補助接点ユニット
２ａ  ユニットケース
２ｂ  係合爪
２ｃ  補償ばね
３  補助接点支え
３ａ  連結突起
３ｂ  接触ばね
４ａ，４ｂ  可動接点
５ａ，５ｂ  固定接点
【図１】
2012038644.tif 000003
【図２】
2012038644.tif 000004
【図３】
2012038644.tif 000005
【図４】
2012038644.tif 000006
【図５】
2012038644.tif 000007
【図６】
2012038644.tif 000008